(57)【特許請求の範囲】
【請求項１】
後ろ身頃にあてる後部帯揚げ本体Ａと、着付けた着物と前身頃の帯との間にあてる前部帯揚げ本体Ｂとに分割され且つそれぞれの両端に接着布、スナップ、ホック等の連結手段が設けられた帯揚げのうち、少なくとも前部帯揚げ本体Ｂを備えた帯揚げであって、前記前部帯揚げ本体Ｂは、本結び、おはさみ、一文字、各種飾り結びなどの飾り付けが作成可能にされることを特徴とする帯揚げ。
【請求項２】
前記後部帯揚げ本体Ａは、長尺の布を幅方向に折りたたんで、帯枕を包み込むことができるようにされることを特徴とする請求項１に記載の帯揚げ。
【発明の詳細な説明】
【技術分野】
【０００１】
本発明は、あらゆる帯に活用できる帯揚げに関するものである。
【背景技術】
【０００２】
従来、着物の着付けは、帯を結び帯枕にガーゼと帯揚げをあてて前側でガーゼを結び、その後帯揚げを形づける帯揚げが提案されている。
このように、従来の帯揚げは種々存在するが、前側できれいに形づける結び方はむづかしく、好ましくない。
【先行技術文献】
【特許文献】
【０００３】
【特許文献１】特開２００９−１０２７５３号公報
【発明の概要】
【発明が解決しようとする課題】
【０００４】
そこで、本発明の仕上げた帯揚げは、だれにでもきれいに形づけることの出来る帯揚げを提供することを課題とする。
【課題を解決するための手段】
【０００５】
上記の目的を達成するために、本発明が提供する帯揚げは、後ろ身頃にあてる後部帯揚げ本体Ａと、着付けた着物と前身頃の帯との間にあてる前部帯揚げ本体Ｂとに分割され且つそれぞれの両端に接着布、スナップ、ホック等の連結手段が設けられた帯揚げのうち、少なくとも前部帯揚げ本体Ｂを備えた帯揚げにおいて、前記前部帯揚げ本体Ｂを、本結び、おはさみ、一文字、各種飾り結びなどの飾り付けを作成可能にすることを特徴とするものである。
また、本発明では、前記後部帯揚げ本体Ａを、長尺の布を幅方向に折りたたんで、帯枕を包み込むことができるようにすることを特徴とするものである。
【発明の効果】
【０００６】
本発明が提供する帯揚げは、従来の帯揚げと比べ前後に分割されて仕上がりが形成がさ
れる為、もたつくことがなく短時間できれいに形づけることが可能である。
【０００７】
後部帯揚げ本体Ａと前部帯揚げ本体Ｂは、分割されているが、それぞれの両端を接着布、スナップ、ホック等の連結手段でつなぎ従来の帯揚げと外観を変えないで、装着することが出来る。
【０００８】
また、本発明の帯揚げは、四季を問わず、生地を問わず、装着可能である。
【０００９】
さらに、本発明の帯揚げは、着付けの分野において細帯と合わせて帯揚げ本体Ｂをあてるだけで、全体的な着付けのバランスを取ることが出来る。
【００１０】
さらに、本発明の帯揚げは、装着後、簡単に取り外せるので、その後の作業が容易になる。
【図面の簡単な説明】
【００１１】
【図１】実施例の帯揚げの斜視図である。
【図２】図1の帯揚げの装着状態を示す正面図である。
【図３】図２のＸ−Ｘ断面を模式的に示した図である。
【発明を実施するための形態】
【００１２】
以下、図面を参照しながら本発明の実施形態を実施例によって説明する。
【実施例】
【００１３】
図１は、実施例の帯揚げの斜視図で、Ａは後部帯揚げ本体、Ｂは前部帯揚げ本体である。
本体Ａは、長尺の布１を幅方向に折りたたんで、帯枕２を包んでから後ろ身頃にあてる帯揚げである。本体Ｂ は、着付けた着物と前身頃の帯との間にあてる帯揚げである。
次に、上記両帯揚げ本体Ａ、Ｂ を使用した着物の着付け要領を図２、３によって説明
する。  
（１）まず、着物３を着付け、帯４を締めた後、帯山の位置に帯枕２のひも６（あるいは包み込んでいるガーゼひも）を結び、帯揚げ本体Ａで帯枕２を包み、後ろ身頃にあて、帯揚げ本体Ａをもった両手を前方に移動し、帯揚げ本体Ａの両端を帯４のなかに入れる。
（２）次に帯揚げ本体Ｂを両手で持ち、帯４の前面にあてがい、両端を両脇まで移動し、両帯揚げ本体Ａ、Ｂの両端のスナップ５を連結した後、帯４の中に入れ定着させる。
（３）つぎに帯４の形を整え、帯締め７を結び、再度帯揚げ本体Ｂの位置を最終確認する。
（４）さらに、後部帯揚げ本体Ａと前部帯揚げ本体Ｂの両端が安定している場合、両帯揚げ本体Ａ、Ｂの両端を連結手段であるスナップ５でつながなくてもよい。つながないときは、両端を帯４の中に入れる。また、図３の前部帯揚げ本体Ｂは、最後の仕上げにあてがっても良い。
なお、図３において、８は胴体、９は腰紐、１０はお端折り、１１は胸紐、１２は伊達
巻、１３は帯板である。
【００１４】
なお、浴衣の着付けにおいても、細帯や幅の広い帯の着用に際し全体のバランスをとる意味合いで、前部帯揚げ本体Ｂの装着や帯締めの使用も考慮するとよい。
前部帯揚げ本体Ｂは、結び方には色々な種類と呼称の仕方がある。例えば、本結び・おはさみ・一文字・細かい追いかけひだの作成・帯揚げを編み込んで作成する手綱・ワンポイントとして、さまざまな花の形を作った結びやリボン結びなど、多様である。
前部帯揚げ本体Ｂに使用する上記のうち、本結びは、常日頃結ばれる結び方である。市販の帯揚げの場合、本来中央に結び目をつくり、あまった両端の帯揚げを両脇の帯４の中にいれる。
前部帯揚げ本体Ｂにより作成する本結びは、中央から両端にかけて形成可能な豊かなボリューム感を出す為に、綿、発泡ウレタン、スポンジ、などの弾性材を使用し、中央は既製の結束布Ｃ（むすび幅の布）にして裏面で留める。接着布、スナップ、ホック５などの掛止手段を用いる。さらにこれらを組み合わせて、結び目にあたるところを縫製ないし簡易装着品を使用し、固定することも可能である。なお通常、中央部を結ばず帯４に入れる形もあり、二本にして前で突合す、または縫製して固定することもできる。
【００１５】
前部帯揚げ本体Ｂにより作成した、中央を結ばない帯揚げは、以下の手順を参考にされたい。いずれも両端は帯４の中に入れて固定する。一部、片方を帯揚げに入れ込む作りもあるが、作成上考慮して入れ込まず全て縫製する工夫も可能とする。
前部帯揚げ本体Ｂにより作成する、おはさみ・一文字なども本結びの作成手順と同様に
帯揚げの中に形成可能な品を入れて、自然な外形にする。一端は帯４の中にいれ、他端は帯揚げの中に入れて形作る。なお、前合わせ側中央部の両端を縫製して、おはさみ、一文字などの形成をすることも可能である。
前部帯揚げ本体Ｂにより作成する追いかけひだは、数段縫い合わせてから、形成可能な品をいれて形作るとよい。
【００１６】
前部帯揚げ本体Ｂにより作成する手綱は、ほどよいボリュームをこころがけるとよい。
前部帯揚げ本体Ｂにより作成するワンポイントの飾り結びは、事前に花の形やリボン
結びを作り、裏面にクリップ・スナップ・ホック・接着布をほどこし、すでに形成された帯揚げに装着し完成させる。もしくは、形成した帯揚げとワンポイントを縫合して完成させる。
着付け後に、帯締め７を使用する場合は、浴衣にふさわしい帯４の形成をしたのち、帯締め７を結び、前部帯揚げ本体Ｂを両手で持ち、帯４の前面にあてがい両端を両脇まで移動し、帯４の中に入れる。帯締め７はせず、前部帯揚げ本体Ｂの装着のみの場合は、上記のプロセスを参考にしたのち、全体の最終確認をする。
【００１７】
掛止手段は、布地の性状に合わせて、適宣選択するとよい。              
既存のないし在庫品の帯揚げを加工してもよい。
帯揚げ本体Ｂの結び方の種類を組み替えて独自のバリエーション豊かな帯揚げにすることも可能である。
【符号の説明】
【００１８】
Ａ            後部帯揚げ本体                
Ｂ            前部帯揚げ本体
Ｃ            結束布                                                        
１            長尺の布
２            帯枕
３            着物
４            帯
５            スナップ、ホック、接着布、ヒモ
６            帯枕のヒモ
７            帯締め
８            胴体
９            腰紐
１０           お端折り
１１           胸紐
１２           伊達巻                  
１３           帯板
【要約】      （修正有）【課題】だれにでもきれいに形づけることの出来る帯揚げを提供する。【解決手段】長尺の布１を幅方向に折りたたんで、帯枕２を包み込んで、後ろ身頃にあてる後部帯揚げ本体Ａと、着付けた着物と前身ごろの帯との間にあてる前部帯揚げ本体Ｂのうち、少なくとも前部帯揚げ本体Ｂからなる帯揚げであって、両帯揚げ本体Ａ、Ｂを使用した着物の着付けは、まず、着物を着付け、帯を締めた後、帯山の位置に帯枕のひも６（あるいは包み込んでいるガーゼひも）を結び、後部帯揚げ本体Ａで帯枕２を包み、後ろ身頃にあて、後部帯揚げ本体Ａをもった両手を前方に移動し、帯揚げ本体の両端を帯のなかに入れ、次に前部帯揚げ本体Ｂを両手で持ち、帯の前面にあてがい、両端を両脇まで移動し、両帯揚げ本体の両端のスナップ５を連結した後、帯の中に入れ定着させる。【選択図】図１【図１】
0004820459.tif 000002
【図２】
0004820459.tif 000003
【図３】
0004820459.tif 000004